(57)【要約】【課題】ユーザは外出先での駐車場の確保を予め可能とし、駐車場探しの手間を省くことと、自ら使用している駐車場が空き状態となる際の駐車場の有効活用も容易に行うこと。【解決手段】サーバ１０１が、クライアント１０３から送信される駐車場の借入希望情報，貸出希望情報を取得し、該取得した借入希望情報，貸出希望情報と、該借入希望情報，貸出希望情報を満たすＤＢ１０２内の貸出希望情報，借入希望情報との貸借契約を成立させ、該貸借契約が成立した貸出希望情報，借入希望情報の送信元に貸借契約が成立した旨をクライアント１０３に通知し、該貸借契約の成立に応じて、ＤＢ１０２内の貸出希望情報，借入希望情報を更新する構成を特徴とする。【選択図】　　　図１
2004078527.tif 000002
【特許請求の範囲】
【請求項１】
複数の情報処理装置と所定の通信媒体を介して通信可能な駐車場予約サーバであって、
駐車場の貸出希望情報，借入希望情報を管理可能なデータベースと、
前記情報処理装置から送信される駐車場の借入希望情報，貸出希望情報を取得する取得手段と、
前記取得手段により取得した借入希望情報，貸出希望情報と、該借入希望情報，貸出希望情報を満たす前記データベース内の貸出希望情報，借入希望情報との貸借契約を成立させるカップリング手段と、
前記カップリング手段による貸借契約の成立に応じて、前記データベース内の貸出希望情報，借入希望情報を更新するデータベース更新手段と、
を有することを特徴とする駐車場予約サーバ。
【請求項２】
前記カップリング手段により貸借契約が成立した貸出希望情報，借入希望情報の送信元に貸借契約が成立した旨を通知する通知手段を有することを特徴とする請求項１記載の駐車場予約サーバ。
【請求項３】
前記カップリング手段は、前記取得手段により取得される借入希望情報を満たすデータベース内の貸出希望情報の前記借入希望情報送信元への通知，前記取得手段により取得される貸出希望情報の該貸出希望情報を満たすデータベース内の貸出希望情報送信元への通知を行って、借入の有無を問い合わせ、該問い合わせ結果に応じて、前記貸借契約の成立の有無を制御することを特徴とする請求項１又は２記載の駐車場予約サーバ。
【請求項４】
前記借入希望情報，貸出希望情報から、借入，貸出を希望するユーザ情報を特定可能であり、
前記カップリング手段は、前記取得手段により取得される借入希望情報及び貸出希望情報と、該借入希望情報及び貸出希望情報を満たす前記データベース内の貸出希望情報及び借入希望情報との貸借契約をユーザ間１対１とすることを特徴とする請求項１〜３のいずれかに記載の駐車場予約サーバ。
【請求項５】
前記駐車場の借入希望情報は、駐車場の借入希望場所，借入希望日時を含むものであり、
前記貸出希望情報は、駐車場の貸出場所，貸出希望日時を含むことを特徴とする請求項１〜４のいずれかに記載の駐車場予約サーバ。
【請求項６】
駐車場の貸出希望情報，借入希望情報を管理するデータベースを有し、外部より取得した駐車場の借入希望情報，貸出希望情報と前記データベース内の貸出希望情報，借入希望情報との貸借契約を成立させる駐車場予約サーバと所定の通信媒体を介して通信可能な情報処理装置において、
駐車場の借入希望情報，貸出希望情報を入力する入力手段と、
前記入力手段により入力された駐車場の借入希望情報，貸出希望情報を前記駐車場予約サーバに送信する送信手段と、
前記送信手段により送信した借入希望情報，貸出希望情報の貸借契約が成立した旨の通知を前記駐車場予約サーバから受信する受信手段と、
前記受信手段により受信した貸借契約が成立した旨の通知を表示する表示手段と、
を有することを特徴とする情報処理装置。
【請求項７】
前記送信手段により送信した借入希望情報を満たすデータベース内の貸出希望情報の通知と借入の有無の問い合わせを前記駐車場予約サーバから受け取って借入の有無を前記駐車場予約サーバに返信する応答手段とを有することを特徴とする請求項６記載の情報処理装置。
【請求項８】
前記借入希望情報，貸出希望情報から、借入，貸出を希望するユーザ情報を特定可能であり、
前記駐車場予約サーバにより貸借契約は、ユーザ間１対１とすることを特徴とする請求項６又は７記載の情報処理装置。
【請求項９】
前記駐車場の借入希望情報は、駐車場の借入希望場所，借入希望日時を含むものであり、
前記貸出希望情報は、駐車場の貸出場所，貸出希望日時を含むことを特徴とする請求項６〜８のいずれかに記載の情報処理装置。
【請求項１０】
所定の通信媒体を介して通信可能な駐車場予約サーバと情報処理装置とから構成される駐車場予約システムにおいて、
前記駐車場予約サーバは、
駐車場の貸出希望情報，借入希望情報を管理可能なデータベースと、
前記情報処理装置から送信される駐車場の借入希望情報，貸出希望情報を取得する取得手段と、
前記取得手段により取得した借入希望情報，貸出希望情報と、該借入希望情報，貸出希望情報を満たす前記データベース内の貸出希望情報，借入希望情報との貸借契約を成立させるカップリング手段と、
前記カップリング手段により貸借契約が成立した貸出希望情報，借入希望情報の送信元に貸借契約が成立した旨を通知する通知手段と、
前記カップリング手段による貸借契約の成立に応じて、前記データベース内の貸出希望情報，借入希望情報を更新するデータベース更新手段とを有し、
前記情報処理装置は、
駐車場の借入希望情報，貸出希望情報を入力する入力手段と、
前記入力手段により入力された駐車場の借入希望情報，貸出希望情報を前記駐車場予約サーバに送信する送信手段と、
前記送信手段により送信した借入希望情報，貸出希望情報の貸借契約が成立した旨の通知を前記駐車場予約サーバから受信する受信手段と、
前記受信手段により受信した貸借契約が成立した旨の通知を表示する表示手段と、
を有することを特徴とする駐車場予約システム。
【請求項１１】
前記駐車場予約サーバにおいて、前記カップリング手段は、前記取得手段により取得される借入希望情報を満たすデータベース内の貸出希望情報の前記借入希望情報送信元への通知，前記取得手段により取得される貸出希望情報の該貸出希望情報を満たすデータベース内の貸出希望情報送信元への通知を行って、借入の有無を問い合わせ、該問い合わせ結果に応じて、前記貸借契約の成立の有無を制御するものであり、
前記情報処理装置は、前記送信手段により送信した借入希望情報を満たすデータベース内の貸出希望情報の通知と借入の有無の問い合わせを前記駐車場予約サーバから受け取って借入の有無を前記駐車場予約サーバに返信する応答手段を有することを特徴とする請求項１０記載の駐車場予約システム。
【請求項１２】
前記駐車場予約サーバにおいて、前記借入希望情報，貸出希望情報から、借入，貸出を希望するユーザ情報を特定可能であり、
前記カップリング手段は、前記取得手段により取得される借入希望情報及び貸出希望情報と、該借入希望情報及び貸出希望情報を満たす前記データベース内の貸出希望情報及び借入希望情報との貸借契約をユーザ間１対１で成立させるものであることを特徴とする請求項１０又は１１記載の駐車場予約システム。
【請求項１３】
前記駐車場の借入希望情報は、駐車場の借入希望場所，借入希望日時を含むものであり、
前記貸出希望情報は、駐車場の貸出場所，貸出希望日時を含むことを特徴とする請求項１０〜１２のいずれかに記載の駐車場予約システム。
【請求項１４】
複数の情報処理装置と所定の通信媒体を介して通信可能な駐車場の貸出希望情報，借入希望情報を管理可能なデータベースを有する駐車場予約サーバにおける駐車場予約方法であって、
前記情報処理装置から送信される駐車場の借入希望情報，貸出希望情報を取得する取得工程と、
該取得した借入希望情報，貸出希望情報と、該借入希望情報，貸出希望情報を満たす前記データベース内の貸出希望情報，借入希望情報との貸借契約を成立させるカップリング工程と、
該貸借契約の成立に応じて、前記データベース内の貸出希望情報，借入希望情報を更新するデータベース更新工程と、
を有することを特徴とする駐車場予約方法。
【請求項１５】
前記カップリング工程により貸借契約が成立した貸出希望情報，借入希望情報の送信元に貸借契約が成立した旨を通知する通知工程を有することを特徴とする請求項１４記載の駐車場予約方法。
【請求項１６】
前記カップリング工程は、前記取得工程により取得される借入希望情報を満たすデータベース内の貸出希望情報の前記借入希望情報送信元への通知，前記取得工程により取得される貸出希望情報の該貸出希望情報を満たすデータベース内の貸出希望情報送信元への通知を行って、借入の有無を問い合わせ、該問い合わせ結果に応じて、前記貸借契約の成立の有無を制御することを特徴とする請求項１４又は１５記載の駐車場予約方法。
【請求項１７】
前記借入希望情報，貸出希望情報から、借入，貸出を希望するユーザ情報を特定可能であり、
前記カップリング工程は、前記取得工程により取得される借入希望情報及び貸出希望情報と、該借入希望情報及び貸出希望情報を満たす前記データベース内の貸出希望情報及び借入希望情報との貸借契約をユーザ間１対１で成立させることを特徴とする請求項１４〜１６のいずれかに記載の駐車場予約方法。
【請求項１８】
前記駐車場の借入希望情報は、駐車場の借入希望場所，借入希望日時を含むものであり、
前記貸出希望情報は、駐車場の貸出場所，貸出希望日時を含むことを特徴とする請求項１４〜１７のいずれかに記載の駐車場予約方法。
【請求項１９】
駐車場の貸出希望情報，借入希望情報を管理するデータベースを有し、外部より取得した駐車場の借入希望情報，貸出希望情報と前記データベース内の貸出希望情報，借入希望情報との貸借契約を成立させる駐車場予約サーバと所定の通信媒体を介して通信可能な情報処理装置における駐車場予約方法において、
駐車場の借入希望情報，貸出希望情報を入力する入力工程と、
該入力された駐車場の借入希望情報，貸出希望情報を前記駐車場予約サーバに送信する送信工程と、
該送信した借入希望情報，貸出希望情報の貸借契約が成立した旨の通知を前記駐車場予約サーバから受信する受信工程と、
該受信した貸借契約が成立した旨の通知を表示する表示工程と、
を有することを特徴とする駐車場予約方法。
【請求項２０】
前記送信工程により送信した借入希望情報を満たすデータベース内の貸出希望情報の通知と借入の有無の問い合わせを前記駐車場予約サーバから受け取って借入の有無を前記駐車場予約サーバに返信する応答工程とを有することを特徴とする請求項１９記載の駐車場予約方法。
【請求項２１】
前記借入希望情報，貸出希望情報から、借入，貸出を希望するユーザ情報を特定可能であり、
前記駐車場予約サーバにより貸借契約は、ユーザ間１対１とすることを特徴とする請求項１９又は２０記載の駐車場予約方法。
【請求項２２】
前記駐車場の借入希望情報は、駐車場の借入希望場所，借入希望日時を含むものであり、
前記貸出希望情報は、駐車場の貸出場所，貸出希望日時を含むことを特徴とする請求項１４〜２１のいずれかに記載の駐車場予約方法。
【請求項２３】
請求項１４〜２２のいずれかに記載された駐車場予約方法を実行するためのプログラム。
【請求項２４】
請求項１４〜２２のいずれかに記載された駐車場予約方法を実行するためのプログラムをコンピュータが読み取り可能に記憶した記録媒体。
【発明の詳細な説明】
【０００１】
【発明の属する技術分野】
本発明は、企業，店舗等の専用駐車場又は特定の契約車両を駐車させるための月極駐車場を開放しているときの空スペースを有効活用するための駐車場予約サーバおよび情報処理装置および駐車場予約システムおよび駐車場予約方法およびプログラムおよび記録媒体に関するものである。
【０００２】
【従来の技術】
従来、開放されている駐車場の空スペースを有効活用するためのシステムとして、特開平８−２２５９８号公報に記載されているように、各駐車場に備えられた端末器から送信される各駐車場の空き情報に基づいて、管理センタが路上案内板に駐車場の利用案内を表示するシステムが提案されている。
【０００３】
このシステムでは、あらかじめ各駐車場にセンサや端末を設置しておき、該端末器からセンサで検知された駐車場の空き情報を管理センタに送信している。
【０００４】
【発明が解決しようとする課題】
しかしながら、このような従来のシステムでは、駐車場を利用するユーザ側からみると、目的地の付近まで到着して路上案内板の駐車場利用案内を見るまで、駐車場の空き状態も分からず、目的地に着いても駐車場を確保できるという保証もない。そのため、結局、目的地で駐車場探しを行わなければならず、利用面で非常に不便であるという問題点があった。
【０００５】
また、上記従来のシステムでは、利用可能な駐車場は、駐車場に空きを検知するためのセンサ及び該空き情報を管理センタに送信するための端末が設置された駐車場に限られるものであり、結局、上記センサや端末を備えていない一般的な駐車場の空きスペースを有効活用することはできず、一般的なユーザが外出時に自ら使用している駐車場が空き状態となる際の駐車場の有効活用もできないという問題点があった。
【０００６】
本発明は、上記の問題点を解決するためになされたもので、本発明の目的は、情報処理装置が、ユーザより入力された駐車場の借入希望情報，貸出希望情報を前記駐車場予約サーバに送信すると、駐車場予約サーバが前記情報処理装置から送信される駐車場の借入希望情報，貸出希望情報を取得し、該取得した借入希望情報，貸出希望情報と、該借入希望情報，貸出希望情報を満たす前記データベース内の貸出希望情報，借入希望情報との貸借契約を成立させ、該貸借契約が成立した貸出希望情報，借入希望情報の送信元に貸借契約が成立した旨を通知すると、情報処理装置が、前記貸借契約が成立した旨の通知を前記駐車場予約サーバから受信し、該受信した貸借契約が成立した旨の通知を表示することにより、ユーザは外出先での駐車場の確保が予め可能となり、駐車場探しの手間を省くことができるとともに、自ら使用している駐車場が空き状態となる際の駐車場の有効活用も容易に行うことができ、結果として、違法駐車台数の減少につながり、地域社会の交通安全等に貢献することができる駐車場予約サーバおよび情報処理装置および駐車場予約システムおよび駐車場予約方法およびプログラムおよび記録媒体を提供することである。
【０００７】
【課題を解決するための手段】
本発明に係る第１の発明は、複数の情報処理装置（図１に示すクライアント１０３）と所定の通信媒体（図１に示すインターネット１０５）を介して通信可能な駐車場予約サーバ（図１に示すサーバ１０１）であって、駐車場の貸出希望情報，借入希望情報を管理可能なデータベース（図１に示すＤＢ１０２）と、前記情報処理装置から送信される駐車場の借入希望情報，貸出希望情報を取得する取得手段（図２に示すネットワークＩ／Ｆ２０６）と、前記取得手段により取得した借入希望情報，貸出希望情報と、該借入希望情報，貸出希望情報を満たす前記データベース内の貸出希望情報，借入希望情報との貸借契約を成立させるカップリング手段（図２に示すＣＰＵ２０１）と、前記カップリング手段による貸借契約の成立に応じて、前記データベース内の貸出希望情報，借入希望情報を更新するデータベース更新手段（図２に示ＣＰＵ２０１）とを有することを特徴とする。
【０００８】
本発明に係る第２の発明は、前記カップリング手段により貸借契約が成立した貸出希望情報，借入希望情報の送信元に貸借契約が成立した旨を通知する通知手段（図２に示すネットワークＩ／Ｆ２０６を介してＣＰＵ２０１が通知する）を有することを特徴とする。
【０００９】
本発明に係る第３の発明は、前記カップリング手段は、前記取得手段により取得される借入希望情報を満たすデータベース内の貸出希望情報の前記借入希望情報送信元への通知，前記取得手段により取得される貸出希望情報の該貸出希望情報を満たすデータベース内の貸出希望情報送信元への通知を行って、借入の有無を問い合わせ、該問い合わせ結果に応じて、前記貸借契約の成立の有無を制御することを特徴とする。
【００１０】
本発明に係る第４の発明は、前記借入希望情報，貸出希望情報から、借入，貸出を希望するユーザ情報を特定可能（ユーザＩＤによりユーザ情報を特定可能）であり、前記カップリング手段は、前記取得手段により取得される借入希望情報及び貸出希望情報と、該借入希望情報及び貸出希望情報を満たす前記データベース内の貸出希望情報及び借入希望情報との貸借契約をユーザ間１対１で成立させる（図１６，図１７）ことを特徴とする。
【００１１】
本発明に係る第５の発明は、前記駐車場の借入希望情報は、駐車場の借入希望場所，借入希望日時を含むものであり、前記貸出希望情報は、駐車場の貸出場所，貸出希望日時を含むことを特徴とする。
【００１２】
本発明に係る第６の発明は、駐車場の貸出希望情報，借入希望情報を管理するデータベース（図１に示すＤＢ１０２）を有し、外部より取得した駐車場の借入希望情報，貸出希望情報と前記データベース内の貸出希望情報，借入希望情報との貸借契約を成立させる駐車場予約サーバ（図１に示すサーバ１０１）と所定の通信媒体（図１に示すインターネット１０５）を介して通信可能な情報処理装置（図１に示すクライアント１０３）において、駐車場の借入希望情報，貸出希望情報を入力する入力手段（図７に示す予約申し込み画面）と、前記入力手段により入力された駐車場の借入希望情報，貸出希望情報を前記駐車場予約サーバに送信する送信手段（図３に示すネットワークＩ／Ｆ３０６を介してＣＰＵ３０１が送信処理する）と、前記送信手段により送信した借入希望情報，貸出希望情報の貸借契約が成立した旨の通知を前記駐車場予約サーバから受信する受信手段（図３に示すネットワークＩ／Ｆ３０６）と、前記受信手段により受信した貸借契約が成立した旨の通知を表示する表示手段（図３に示すＣＰＵ３０１が表示制御部３０７を制御して表示装置３０８に表示処理する）とを有することを特徴とする。
【００１３】
本発明に係る第７の発明は、前記送信手段により送信した借入希望情報を満たすデータベース内の貸出希望情報の通知と借入の有無の問い合わせを前記駐車場予約サーバから受け取って借入の有無を前記駐車場予約サーバに返信する応答手段（図８に示す借入申し込み画面）とを有することを特徴とする。
【００１４】
本発明に係る第８の発明は、前記借入希望情報，貸出希望情報から、借入，貸出を希望するユーザ情報を特定可能であり、前記駐車場予約サーバにより貸借契約は、ユーザ間１対１とする（図１６，図１７）ことを特徴とする。
【００１５】
本発明に係る第９の発明は、前記駐車場の借入希望情報は、駐車場の借入希望場所，借入希望日時を含むものであり、前記貸出希望情報は、駐車場の貸出場所，貸出希望日時を含むことを特徴とする。
【００１６】
本発明に係る第１０の発明は、所定の通信媒体（図１に示すインターネット１０５）を介して通信可能な駐車場予約サーバ（図１に示すサーバ１０１）と情報処理装置（図１に示すクライアント１０３）とから構成される駐車場予約システムにおいて、前記駐車場予約サーバは、駐車場の貸出希望情報，借入希望情報を管理可能なデータベース（図１に示すＤＢ１０２）と、前記情報処理装置から送信される駐車場の借入希望情報，貸出希望情報を取得する取得手段（図２に示すネットワークＩ／Ｆ２０６）と、前記取得手段により取得した借入希望情報，貸出希望情報と、該借入希望情報，貸出希望情報を満たす前記データベース内の貸出希望情報，借入希望情報との貸借契約を成立させるカップリング手段（図２に示すＣＰＵ２０１）と、前記カップリング手段により貸借契約が成立した貸出希望情報，借入希望情報の送信元に貸借契約が成立した旨を通知する通知手段（図２に示すネットワークＩ／Ｆ２０６を介してＣＰＵ２０１が通知する）と、前記カップリング手段による貸借契約の成立に応じて、前記データベース内の貸出希望情報，借入希望情報を更新するデータベース更新手段（図２に示すＣＰＵ２０１）とを有し、前記情報処理装置は、駐車場の借入希望情報，貸出希望情報を入力する入力手段（図７に示す予約申し込み画面）と、前記入力手段により入力された駐車場の借入希望情報，貸出希望情報を前記駐車場予約サーバに送信する送信手段（図３に示すネットワークＩ／Ｆ３０６を介してＣＰＵ３０１が送信処理する）と、前記送信手段により送信した借入希望情報，貸出希望情報の貸借契約が成立した旨の通知を前記駐車場予約サーバから受信する受信手段（図３に示すネットワークＩ／Ｆ３０６）と、前記受信手段により受信した貸借契約が成立した旨の通知を表示する表示手段（図３に示すＣＰＵ３０１が表示制御部３０７を制御して表示装置３０８に表示処理する）とを有することを特徴とする。
【００１７】
本発明に係る第１１の発明は、前記駐車場予約サーバにおいて、前記カップリング手段は、前記取得手段により取得される借入希望情報を満たすデータベース内の貸出希望情報の前記借入希望情報送信元への通知，前記取得手段により取得される貸出希望情報の該貸出希望情報を満たすデータベース内の貸出希望情報送信元への通知を行って、借入の有無を問い合わせ、該問い合わせ結果に応じて、前記貸借契約の成立の有無を制御するものであり、前記情報処理装置は、前記送信手段により送信した借入希望情報を満たすデータベース内の貸出希望情報の通知と借入の有無の問い合わせを前記駐車場予約サーバから受け取って借入の有無を前記駐車場予約サーバに返信する応答手段を有することを特徴とする。
【００１８】
本発明に係る第１２の発明は、前記駐車場予約サーバにおいて、前記借入希望情報，貸出希望情報から、借入，貸出を希望するユーザ情報を特定可能（ユーザＩＤによりユーザ情報を特定可能）であり、前記カップリング手段は、前記取得手段により取得される借入希望情報及び貸出希望情報と、該借入希望情報及び貸出希望情報を満たす前記データベース内の貸出希望情報及び借入希望情報との貸借契約をユーザ間１対１とする（図１６，図１７）ことを特徴とする。
【００１９】
本発明に係る第１３の発明は、前記駐車場の借入希望情報は、駐車場の借入希望場所，借入希望日時を含むものであり、前記貸出希望情報は、駐車場の貸出場所，貸出希望日時を含むことを特徴とする。
【００２０】
本発明に係る第１４の発明は、複数の情報処理装置と所定の通信媒体を介して通信可能な駐車場の貸出希望情報，借入希望情報を管理可能なデータベースを有する駐車場予約サーバにおける駐車場予約方法であって、前記情報処理装置から送信される駐車場の借入希望情報，貸出希望情報を取得する取得工程（図１２のステップＳ１０４）と、該取得した借入希望情報，貸出希望情報と、該借入希望情報，貸出希望情報を満たす前記データベース内の貸出希望情報，借入希望情報との貸借契約を成立させるカップリング工程（図１２のステップＳ１０５，図１３，図１４，図１６，図１７）と、該貸借契約の成立に応じて、前記データベース内の貸出希望情報，借入希望情報を更新するデータベース更新工程（図１３のステップＳ２１０，図１４のステップＳ２１９，図１７のステップＳ６１６において、ＤＢ１０２内の貸出希望情報，借入希望情報から貸借契約が成立した貸出希望情報，借入希望情報を削除するとともに、図１２のステップＳ１０６において、クライアントから取得した借入希望情報，貸出希望情報から貸借契約が成立しなかった借入希望情報，貸出希望情報をＤＢ１０２に登録する）とを有することを特徴とする。
【００２１】
本発明に係る第１５の発明は、前記カップリング工程により貸借契約が成立した貸出希望情報，借入希望情報の送信元に貸借契約が成立した旨を通知する通知工程（図１３のステップＳ２０９，図１４のステップＳ２１８，図１７のステップＳ６１５）を有することを特徴とする。
【００２２】
本発明に係る第１６の発明は、前記カップリング工程は、前記取得工程により取得される借入希望情報を満たすデータベース内の貸出希望情報の前記借入希望情報送信元への通知，前記取得工程により取得される貸出希望情報の該貸出希望情報を満たすデータベース内の貸出希望情報送信元への通知を行って、借入の有無を問い合わせ、該問い合わせ結果に応じて、前記貸借契約の成立の有無を制御する（図１３のステップＳ２０５〜２０８，図１４のステップＳ２１５〜Ｓ２１７，図１６のステップＳ６０５〜Ｓ６０７，図１７のステップＳ６１３〜Ｓ６１４）ことを特徴とする。
【００２３】
本発明に係る第１７の発明は、前記借入希望情報，貸出希望情報から、借入，貸出を希望するユーザ情報を特定可能であり、前記カップリング工程は、前記取得工程により取得される借入希望情報及び貸出希望情報と、該借入希望情報及び貸出希望情報を満たす前記データベース内の貸出希望情報及び借入希望情報との貸借契約をユーザ間１対１で成立させる（図１６，図１７）ことを特徴とする。
【００２４】
本発明に係る第１８の発明は、前記駐車場の借入希望情報は、駐車場の借入希望場所，借入希望日時を含むものであり、前記貸出希望情報は、駐車場の貸出場所，貸出希望日時を含むことを特徴とする。
【００２５】
本発明に係る第１９の発明は、駐車場の貸出希望情報，借入希望情報を管理するデータベースを有し、外部より取得した駐車場の借入希望情報，貸出希望情報と前記データベース内の貸出希望情報，借入希望情報との貸借契約を成立させる駐車場予約サーバと所定の通信媒体を介して通信可能な情報処理装置における駐車場予約方法において、駐車場の借入希望情報，貸出希望情報を入力する入力工程（図１２のステップＳ１１４）と、該入力された駐車場の借入希望情報，貸出希望情報を前記駐車場予約サーバに送信する送信工程（図１２のステップＳ１１４）と、該送信した借入希望情報，貸出希望情報の貸借契約が成立した旨の通知を前記駐車場予約サーバから受信する受信工程（図１２のステップＳ１１５）と、該受信した貸借契約が成立した旨の通知を表示する表示工程（図１２のステップＳ１１５）とを有することを特徴とする。
【００２６】
本発明に係る第２０の発明は、前記送信工程により送信した借入希望情報を満たすデータベース内の貸出希望情報の通知と借入の有無の問い合わせを前記駐車場予約サーバから受け取って借入の有無を前記駐車場予約サーバに返信する応答工程（図１２のステップＳ１１５，図１５のステップＳ３１３〜Ｓ３１５）とを有することを特徴とする。
【００２７】
本発明に係る第２１の発明は、前記借入希望情報，貸出希望情報から、借入，貸出を希望するユーザ情報を特定可能であり、前記駐車場予約サーバにより貸借契約は、ユーザ間１対１とする（図１６，図１７）ことを特徴とする。
【００２８】
本発明に係る第２２の発明は、前記駐車場の借入希望情報は、駐車場の借入希望場所，借入希望日時を含むものであり、前記貸出希望情報は、駐車場の貸出場所，貸出希望日時を含むことを特徴とする。
【００２９】
本発明に係る第２３の発明は、請求項１４〜２２のいずれかに記載された駐車場予約方法を実行するためのプログラムであることを特徴とする。
【００３０】
本発明に係る第２４の発明は、請求項１４〜２２のいずれかに記載された駐車場予約方法を実行するためのプログラムを記録媒体にコンピュータが読み取り可能に記録させたことを特徴とする。
【００３１】
【発明の実施の形態】
〔第１実施形態〕
図１は、本発明の第１実施形態を示す駐車場予約サーバ装置および情報処理装置を適用可能な駐車場予約システムの構成を説明する図である。
【００３２】
図において、１０１はパーソナルコンピュータ又はワークステーション等で構成されるサーバで、所定のＯＳで記憶装置に記憶されている各種のアプリケーションプログラム（インターネット通信処理プログラム等を含む）をＲＡＭ上にロードして種々のデータ処理を行う。なお、本発明の適用に関して、特定のＯＳに限定されるものではない。
【００３３】
サーバ１０１は、インターネット１０５を介して、駐車場予約システムの利用者のクライアント１０３ａ〜１０３ｇ（以下、単に１０３）と所定のプロトコルで通信可能に構成されており、利用者からの駐車場の貸出条件，借入条件のデータベース（ＤＢ）１０２への登録，削除，更新等の処理を一括して処理する。
【００３４】
なお、クライアント１０３は、パーソナルコンピュータであっても、携帯電話器やＰＤＡ等のモバイル装置であってもよい。
【００３５】
図２は、図１に示したサーバ１０１の構成の一例を説明するブロック図である。
【００３６】
図において、２０１は装置全体の制御を司るＣＰＵで、ＲＡＭ２０３に外部記憶装置２０９に記憶されているＯＳ２０９ａをロードして、かつ、種々のアプリケーションをロードしてデータ処理を行う。２０２はＲＯＭで、バスに接続されるデバイスとのアクセスを制御するＢＩＯＳやフォント情報等が記憶されているものとする。
【００３７】
２０４はキーボードで、表示装置２０８に表示される種々の画面に対して所望のデータを入力する。２０５はポインティングデバイス（ＰＤ）で、表示装置２０８に表示される種々の画面に対して所望の選択指示操作等を行う。
【００３８】
２０６はネットワークインタフェース（ネットワークＩ／Ｆ）で、インターネット１０５と接続するインタフェースである。
【００３９】
２０９はハードディスク装置で、オペレーティングシステム（ＯＳ）２０９ａ，カップリング検索プログラム２０９ｂ等が記憶される。ＣＰＵ２０１は、このカップリング検索プログラム２０９ｂを実行して、データベース１０２に対してネットワークインタフェース２０６を介してクライアント１０３から受信する貸出条件，借入条件をデータベース１０２（図１）に登録，削除，更新，後述するカップリング処理等を行うことができる。なお、本実施形態では、カップリング検索プログラム２０９ｂはＷｅｂサーバ上で動作するものとし、クライアント１０３上のＷｅｂブラウザからアクセス可能なものとするが、この形態に限られるものではなく、クライアントと通信可能な形態であればどのような形態であってもよい。また、図１に示したデータベース１０２は、ハードディスク装置２０９内に構成されても、その他の記憶装置内に構成されてもよい。
【００４０】
図３は、図１に示したクライアント１０３の構成の一例を説明するブロック図であり、例えばパーソナルコンピュータで構成される場合を示す。
【００４１】
図において、３０１は装置全体の制御を司るＣＰＵで、ＲＡＭ３０３に外部記憶装置３０９に記憶されているＯＳ３０９ａをロードして、かつ、種々のアプリケーションをロードしてデータ処理を行う。３０２はＲＯＭで、バスに接続されるデバイスとのアクセスを制御するＢＩＯＳやフォント情報等が記憶されているものとする。
【００４２】
３０４はキーボードで、表示装置３０８に表示される種々の画面に対して所望のデータを入力する。３０５はポインティングデバイス（ＰＤ）で、表示制御部３０７を介して、表示装置３０８に表示される種々の画面に対して所望の選択指示操作等を行う。
【００４３】
３０６はネットワークインタフェースで、インターネット１０５等に接続するインタフェースである。
【００４４】
３０９はハードディスク装置で、オペレーティングシステム（ＯＳ）３０９ａ，Ｗｅｂブラウザ３０９ｂ等が記憶され、ネットワークインタフェース３０６を介して、サーバ１０１にアクセスして、駐車場の貸出，借入の登録，削除，更新処理等を行うことができる。このように、本実施形態では、クライアント１０３上のＷｅｂブラウザからサーバ１０１上のカップリング検索プログラム２０９ｂにアクセス可能であり、クライアント１０３上にサーバ１０１へのアクセス用の専用のプログラムをインストールする必要はない。もちろん、クライアント１０３上にサーバ１０１へのアクセス用の専用のプログラムをインストールし、該専用のプログラムを用いる構成であってもよい。
【００４５】
図４は、図１に示したクライアント１０３からサーバ１０１にアクセスした場合（クライアント１０３のＷｅｂブラウザでサーバ１０１に対応する所定のＵＲＩにアクセス等）に、サーバ１０１からクライアント１０３に送信され、クライアント１０３のＷｅｂブラウザにより表示装置３０８上に表示される初期画面の一例を示す模式図である。
【００４６】
図において、４０１はユーザ登録指示エリアで、ユーザ登録を行う場合にＰＤ３０５により指示する。４０２は予約指示エリアで、貸出希望条件，借入希望条件を入力する予約申し込み処理を行う場合にＰＤ３０５により指示する。４０３は応答指示エリアで、借入希望にあった貸出希望の通知があった場合に借入申し込みを行う場合にＰＤ３０５により指示する。
【００４７】
図５は、図４に示したユーザ登録指示エリア４０１を指示した場合に、サーバ１０１からクライアント１０３に送信され、クライアント１０３のＷｅｂブラウザにより表示装置３０８上に表示されるユーザ登録画面の一例を示す模式図である。
【００４８】
図において、５０１はユーザＩＤ入力欄で、ユーザの所望のユーザＩＤを入力する。なお、このユーザＩＤ入力欄５０１に入力されたユーザＩＤが他のユーザと重なった場合には、その旨をユーザに通知し、他のユーザＩＤの入力をユーザに促すものとする。
【００４９】
５０２はパスワード入力欄で、ユーザの所望のパスワードを入力する。５０３はパスワード確認欄で、パスワード入力欄５０２に入力したパスワードと同一のパスワードを入力する。５０４はユーザ名入力欄で、ユーザの氏名を入力する。なお、パスワード入力欄５０２とパスワード確認欄５０３に入力されたパスワードが異なる場合には、その旨をユーザに通知し、再度パスワードの入力を促すものとする。
【００５０】
５０５は電子メールアドレス入力欄で、ユーザの電子メールアドレスを入力する。５０６は駐車場住所入力欄で、ユーザの使用している駐車場の住所を入力する。５０７は車両番号入力欄で、ユーザの使用している車両のナンバープレートに記載された番号を入力する。５０８は車種入力欄で、ユーザの使用している車両の種類、例えば普通，大型貨物等を入力する。
【００５１】
５０９は登録ボタンで、このボタンを指示することにより、ユーザ登録画面の内容で登録処理が行われ、ユーザ登録画面を終了する。５１０はキャンセルボタンで、このボタンを指示することにより、ユーザ登録画面の内容を無効としユーザ登録画面を終了する。
【００５２】
図６は、図４に示した予約指示エリア４０２又は応答指示エリア４０３を指示した場合に、サーバ１０１からクライアント１０３に送信され、クライアント１０３のＷｅｂブラウザにより表示装置３０８上に表示されるパスワード入力画面の一例を示す模式図である。
【００５３】
図において、６０１はユーザＩＤ入力欄で、図５に示したユーザ登録欄で登録したユーザＩＤを入力する。６０２はパスワード入力欄で、図５に示したユーザ登録欄で登録したパスワードを入力する。
【００５４】
６０３はＯＫボタンで、このボタンを指示することにより、パスワード入力画面で入力されたユーザＩＤ，パスワードがサーバ１０１に送信される。６０４はキャンセルボタンで、このボタンを指示することにより、パスワード入力画面で入力されたユーザＩＤ，パスワードを無効にして、パスワード入力画面を終了する。
【００５５】
図７は、図４に示した予約指示エリア４０２が指示され、図６に示したパスワード入力画面により入力されたユーザＩＤとパスワードが正しい場合に、サーバ１０１からクライアント１０３に送信され、クライアント１０３のＷｅｂブラウザにより表示装置３０８上に表示される予約申し込み画面の一例を示す模式図である。
【００５６】
図において、７０１はユーザ名表示欄で、図５に示したユーザ登録欄で登録したユーザ名が表示される。７０２は駐車場住所表示欄で、図５に示したユーザ登録欄で登録した駐車場住所が表示される。７０３は車両番号表示欄で、図５に示したユーザ登録欄で登録した車両番号が表示される。
【００５７】
７０４は貸出日入力欄で、ユーザの所望の貸出日を入力する。７０５は貸出時間入力欄で、ユーザの所望の貸出時間を入力する。７０６は貸出日追加ボタンで、このボタンを指示することにより、貸出日入力欄７０４，貸出時間入力欄７０５が追加され、貸出日，貸出時間を追加入力することができる。
【００５８】
７０７は借入住所入力欄で、ユーザの希望する借入住所を入力する。７０８は住所検索ボタンで、このボタンを指示することにより、図示しないサブ画面が表示され、住所を広域から順次確定することができる。
【００５９】
７０９は借入日入力欄で、ユーザの所望の借入日を入力する。７１０は借入時間入力欄で、ユーザの所望の借入時間を入力する。７１１は借入日追加ボタンで、このボタンを指示することにより、借入日入力欄７０９，借入時間入力欄７１０が追加され、借入日，借入時間を追加入力することができる。
【００６０】
７１２は予約ボタンで、このボタンを指示することにより、予約申し込み画面で入力された情報がサーバ１０１に送信される。７１３はキャンセルボタンで、このボタンを指示することにより、予約申し込み画面で入力された情報を無効にして、予約申し込み画面を終了する。
【００６１】
なお、この予約申し込み画面では、貸出条件（日，時間）のみを入力しても、借入条件（場所，日，時間）のみを入力しても、貸出条件，借入条件の両方を入力してもよい。
【００６２】
また、この予約申し込み画面では、貸出条件，借入条件を日，時間毎に個別に入力するように構成しているが、企業等の専用駐車場のように、特定の曜日や特定の時間（例えば、週末や「０９：００」〜「１８：００」以外の時間）は常に開放されている場合や、特定の曜日の特定の時間に常に借入したい場合もあり、このような場合には、貸出や借入を「土」，「日」とか、「００：００」〜「０９：００」，「１８：００」〜「２４：００」のように入力できるように構成してもよい。
【００６３】
図８は、図７に示した予約申し込み画面により申し込んだ借入希望と一致した駐車場がサーバ１０１により検索された場合に、サーバ１０１からクライアント１０３に送信され、クライアント１０３のＷｅｂブラウザにより表示装置３０８上に表示される借入申し込み画面の一例を示す模式図である。
【００６４】
図において、８０１はユーザ名表示欄で、図５に示したユーザ登録欄で登録したユーザＩＤが表示される。８０２はユーザ借入希望条件表示欄で、図７に示した予約申し込み画面で予約した借入条件の内、この画面での応答に対応するユーザの借入条件（場所，日，時間）が表示される。
【００６５】
８０３は登録者貸出条件表示欄で、ＤＢ１０２から検索されたユーザの借入条件に対応する登録者の貸出条件（場所，日，時間）が表示される。
【００６６】
８０４は借入申し込みボタンで、このボタンを指示することにより、登録者貸出条件表示欄８０３に表示される借入条件の借入申し込みを行う旨の情報がサーバ１０１に送信される。８０５はキャンセルボタンで、このボタンを指示することにより、借入申し込み画面で入力された情報を無効にして、借入申し込み画面を終了する。
【００６７】
図９〜図１１は、図５に示したユーザ登録画面，図７に示した予約申し込み画面により入力されるユーザ情報，予約申し込み情報の一例を示す模式図である。
【００６８】
図９〜図１１において、１００１はユーザＩＤで、図５に示したユーザ登録画面により入力されたユーザＩＤである。１００２はユーザ名で、図５に示したユーザ登録画面により入力されたユーザ名である。１００３はパスワードで、図５に示したユーザ登録画面により入力されたパスワードである。１００４は住所で、図５に示したユーザ登録画面により入力された駐車場住所である。１００５は車両番号で、図５に示したユーザ登録画面により入力された車両番号である。１００６は車種で、図５に示したユーザ登録画面により入力された車種である。
【００６９】
１００７は貸出希望日で、図７に示した予約申し込み画面により入力された貸出日である。１００８は貸出時間で、図７に示した予約申し込み画面により入力された貸出時間である。
【００７０】
１００９は希望地域で、図７に示した予約申し込み画面により入力された借入住所に相当する地域コードである。１０１０は借入希望日で、図７に示した予約申し込み画面により入力された借入日である。１０１１は借入時間で、図７に示した予約申し込み画面により入力された借入時間である。
【００７１】
なお、図７に示した予約申し込み画面により貸出条件，借入条件が複数入力されている場合には、図１０の１１０１〜１１０３，１１０４〜１１０６に示すように、貸出希望日１００７，貸出時間１００８の組や希望地域１００９，借入希望日１０１０，借入時間１０１１の組を複数備えるものとする。
【００７２】
また、後述する図１３〜図１５のフローチャートに示すカップリング処理等により、契約が成立した場合には、図１１の１２０１，１２０２に示すように、契約が成立した項目を削除するものとする。
【００７３】
なお、１２０１の場合は、「１１：００〜２４：００」の貸出時間のうち、「１１：００〜１９：００」の貸出予約が成立したため、「１１：００〜１９：００」の貸出時間のみが削除され、貸出時間が「１９：００〜２４：００」に変更されている。
【００７４】
また、１２０２の場合は、「１２：００〜１６：００」の借入時間の借入予約が成立したため、借入希望日，借入時間が削除されている。
【００７５】
以下、図１２〜図１５を参照して、本発明の第１実施形態における駐車場予約処理について説明する。
【００７６】
図１２は、本発明の駐車場予約サーバおよび情報処理装置を適用可能なシステムにおける第１の制御処理手順の一例を示すフローチャートであり、第１実施形態における駐車場予約処理に対応する。なお、（ａ）はサーバ１０１側の処理に対応し、（ｂ）はクライアント１０３側の処理に対応する。また、このフローチャートの処理は、図２に示したサーバ１０１内のカップリング検索プログラム２０９ｂに基づいてＣＰＵ２０１により実行される。さらに、図中、Ｓ１０１〜１０６，Ｓ１１１〜Ｓ１１５は各ステップを示す。また、このフローチャートが開始以前に、図５に示したユーザ登録画面によりユーザ登録がなされているものとする。
【００７７】
まず、ユーザがクライアント１０３のＷｅｂブラウザ上でサーバ１０１に対応する所定のＵＲＩを入力することにより表示される初期画面（図４）で予約指示エリア４０２を指示し、その旨がサーバ１０１に通知されると、ステップＳ１０１において、サーバ１０１は、図６に示したパスワード画面情報をクライアント１０３に送信する。
【００７８】
ステップＳ１１１において、クライアント１０３はパスワード画面情報をサーバ１０１から取得し、Ｗｅｂブラウザ上に表示する。次に、ステップＳ１１２において、クライアント１０３のＷｅｂブラウザに表示されたパスワード画面にて、ユーザがユーザＩＤ，パスワードを入力し、ＯＫボタン６０３を指示すると、ユーザＩＤとパスワードがサーバ１０１に送信される。
【００７９】
ステップＳ１０２において、サーバ１０１は、クライアント１０３から送信されるユーザＩＤとパスワードを取得する。ここで、ユーザＩＤとパスワードの組が正しいと判断された場合、ステップＳ１０３において、図７に示した予約申し込み画面をクライアント１０３に送信する。
【００８０】
ステップＳ１１３において、クライアント１０３は、サーバ１０１より送信される予約申し込み画面を取得し、Ｗｅｂブラウザ上に表示する。次に、ステップＳ１１４において、クライアント１０３のＷｅｂブラウザに表示された予約申し込み画面にて、ユーザが予約申し込み情報（貸出条件（日，時間），借入条件（日，時間））を入力し、予約ボタン７１２を指示すると、ユーザの予約申し込み情報がサーバ１０１に送信される。なお、上記予約申し込み情報は、ユーザＩＤと対応付けられて送信されるので、サーバ１０１は、上記予約申し込み情報からユーザ情報を特定することができる。
【００８１】
次に、ステップＳ１０４において、サーバ１０１は、クライアント１０３から送信される予約申し込み情報を取得する。なお、サーバは、取得した予約申し込み情報を図９〜図１１に示したようにユーザ情報と関係つけて管理する。
【００８２】
次に、ステップＳ１０５において、後述する図１３，図１４に示すカップリング処理を実行する。なお、サーバ１０１は、カップリング処理において、クライアント１０３に駐車場検索結果等の通知を行い、クライアント１０３は、サーバ１０１からの通知の取得，Ｗｅｂブラウザ上への表示，選択，選択結果送信等を行う（Ｓ１１５）。
【００８３】
次に、ステップＳ１０６において、サーバ１０１は、データベース１０２を更新（図１１に示したように契約が成立した項目を削除した申し込み情報をＤＢに登録）し、処理を終了する。
【００８４】
図１３，図１４は、本発明の駐車場予約サーバにおける第２の制御処理手順の一例を示すフローチャートであり、図１２のステップＳ１０６に示したカップリング処理に対応する。なお、このフローチャートの処理は、図２に示したサーバ１０１内のカップリング検索プログラム２０９ｂに基づいてＣＰＵ２０１により実行される。また、図中、Ｓ２０１〜２２０は各ステップを示す。
【００８５】
まず、ステップＳ２０１において、図１２のステップＳ１０５で登録された借入希望場所と一致する駐車場がＤＢ１０２に登録されているか否かを検索し、登録されている場合には、そのままステップＳ２０４に進む。
【００８６】
一方、ステップＳ２０１で借入希望場所と一致する駐車場がＤＢ１０２に登録されていないと判定した場合には、ステップＳ２０２において、借入希望場所の近隣駐車場（例えば、予めデータベースに格納されているエリアにおいて隣接するエリア内）を検索し、ステップＳ２０３において、近隣駐車場があるか否かを判定し、近隣駐車場がないと判定した場合には、そのままステップＳ２１１に進み、一方、近隣駐車場があると判定した場合には、ステップＳ２０４に進む。
【００８７】
次に、ステップＳ２０４において、ステップＳ２０１〜Ｓ２０３で検索された駐車場の貸出日時が、図１２のステップＳ１０５で登録された借入希望日時と一致する（含まれる）か否かを検索し、一致すると判定した場合には、ステップＳ２０５に進み、一致結果データ（図８に示した借入申し込み画面）をユーザへ送信し、ステップＳ２０７に進む。
【００８８】
一方、ステップＳ２０４において、ステップＳ２０１〜Ｓ２０３で検索された駐車場の貸出日時が、図１２のステップＳ１０５で登録された借入希望時間と一致しない（含まれない）と判定した場合には、ステップＳ２０６に進み、参考結果データ（図８に示した借入申し込み画面と同様の画面）をクライアント１０３へ送信し、ステップＳ２０７に進む。
【００８９】
次に、クライアント１０３のＷｅｂブラウザに表示された借入申し込み画面にて、クライアント１０３において、ユーザが借入申し込みボタン８０４又はキャンセルボタン８０５を指示すると、クライアント１０３から選択情報がサーバ１０１に送信される（図１２のステップＳ１１５）。ステップＳ２０７において、サーバ１０１はクライアント１０３から送信される選択情報を取得し、ステップＳ２０８において、ユーザが借入申し込みを行ったか否かを判定し、ユーザが申し込みをしていないと判定した場合には、そのままステップＳ２１１に進む。
【００９０】
一方、ステップＳ２０８でユーザが申し込みをしたと判定した場合には、ステップＳ２０９に進み、両者に契約成立を通知する。なお、ここで、クライアント１０３上のユーザ（借入する者）にはＷｅｂブラウザの画面を通して通知し、ＤＢ１０２の登録者（貸出する者）には電子メール等にて通知する。これにより、クライアント１０３は、サーバ１０１から送信された契約成立の通知を取得し、Ｗｅｂブラウザ上に表示することができる。また、メール受信したクライアント１０３は、メール受信した契約成立の通知を画面上に表示する。
【００９１】
次に、ステップＳ２１０において、契約成立した項目をＤＢ１０２から削除するとともに、契約成立した項目から契約成立情報（貸方情報，借方情報，駐車場場所，日時等）生成しＤＢ１０２に登録する（不図示）。
【００９２】
次に、ステップＳ２１１において、図１２のステップＳ１０５で登録された貸出希望場所と一致する駐車場がＤＢ１０２に登録されているか否かを検索し、登録されている場合には、そのままステップＳ２１４に進む。
【００９３】
一方、ステップＳ２１１で貸出希望場所と一致する駐車場がＤＢ１０２に登録されていないと判定した場合には、ステップＳ２１２において、貸出希望場所の近隣駐車場（例えば、予めデータベースに格納されているエリアにおいて隣接するエリア内）を検索し、ステップＳ２１３において、近隣駐車場があるか否かを判定し、近隣駐車場がないと判定した場合には、そのまま処理を終了し、一方、近隣駐車場があると判定した場合には、ステップＳ２１４に進む。
【００９４】
次に、ステップＳ２１４において、ステップＳ２１１〜Ｓ２１３で検索された駐車場の借入希望日時が、図１２のステップＳ１０５で登録された貸出希望日時と一致する（含まれる）か否かを検索し、一致すると判定した場合には、ステップＳ２１５に進み、一致結果データを電子メール等にてＢ１０２内の一致データ登録者（借入を希望したもの）へ送信し、ステップＳ２１７に進む。
【００９５】
一方、ステップＳ２１４において、ステップＳ２１１〜Ｓ２１３で検索された駐車場の借入希望日時が、図９のステップＳ１０５で登録された貸出希望時間と一致しない（含まれない）と判定した場合には、ステップＳ２１６に進み、参考結果データを電子メール等にてＤＢ内の参考結果データ登録者（借入を希望したもの）へ送信し、ステップＳ２１７に進む。なお、ステップＳ２１５又はＳ２１６の通知を受けた一致データ又は参考データ登録者は、後述する図１５のフローチャートに示す処理により、借入申し込みを行うことができる。
【００９６】
次に、ステップＳ２１７において、後述する図１５に示す処理により、一致（参考）データのＤＢ登録者が所定期間（例えば、３日間（７２時間））内に借入申し込みを行ったか否かを判定し、一致（参考）データのＤＢ登録者が借入申し込みをしていないと判定した場合には、ステップＳ２２０に進み、一致データ又は参考データ登録者に、契約不成立の通知を行うことができる。
【００９７】
一方、ステップＳ２１７で一致（参考）データのＤＢ登録者が借入申し込みをしたと判定した場合には、ステップＳ２１８に進み、両者に契約成立をメール等で通知する。これにより、クライアント１０３は、サーバ１０１から送信された契約成立の通知のメールを受信し、画面上に表示することができる。
【００９８】
次に、ステップＳ２１９において、契約成立した項目をＤＢ１０２から削除するとともに、契約成立した項目から契約成立情報（貸方情報，借方情報，駐車場場所，日時等）生成しＤＢ１０２に登録し（不図示）、処理を終了する。
【００９９】
なお、上記図１３，図１４のフローチャートで示した処理では、ステップＳ２０３においてユーザの借入希望場所の近隣駐車場がないと判定した場合に、ステップＳ２１１に進み、ユーザの貸出希望と一致する駐車場の検索処理を行う構成について説明したが、ステップＳ２０３においてユーザの借入希望場所の近隣駐車場がないと判定した場合に、そのまま処理を終了し、ユーザの貸出希望と一致する駐車場の検索処理は行わないように構成してもよい。
【０１００】
図１５は、本発明の駐車場予約サーバにおける第３の制御処理手順の一例を示すフローチャートであり、図１４に示したステップＳ２１５，Ｓ２１６の通知に対する一致（参考）データのＤＢ登録者の応答処理（借入申し込み等）に対応する。なお、（ａ）はサーバ１０１側の処理に対応し、（ｂ）はクライアント１０３側の処理に対応する。また、このフローチャートの処理は、図２に示したサーバ１０１内のカップリング検索プログラム２０９ｂに基づいてＣＰＵ２０１により実行される。さらに、図中、Ｓ３０１〜Ｓ３０７，Ｓ３１１〜Ｓ３１５は各ステップを示す。
【０１０１】
まず、ユーザがクライアント１０３のＷｅｂブラウザ上でサーバ１０１に対応する所定のＵＲＩを入力することにより表示される初期画面（図４）で応答指示エリア４０３を指示し、その旨がサーバ１０１に通知されると、ステップＳ３０１において、図６に示したパスワード画面をクライアント１０３に送信する。
【０１０２】
ステップＳ３１１において、クライアント１０３はパスワード画面情報をサーバ１０１から取得し、Ｗｅｂブラウザ上に表示する。次に、ステップＳ３１２において、クライアント１０３のＷｅｂブラウザに表示されたパスワード画面にて、ユーザがユーザＩＤ，パスワードを入力し、ＯＫボタン６０３を指示すると、ユーザＩＤとパスワードがサーバ１０１に送信される。
【０１０３】
ステップＳ３０２において、サーバ１０１は、クライアント１０３から送信されるユーザＩＤとパスワードを取得する。ここで、ユーザＩＤとパスワードの組が正しいと判断された場合、ステップＳ３０３において、サーバ１０１は、図８に示した借入申し込み画面をクライアント１０３に送信する。
【０１０４】
ステップＳ３１３において、クライアント１０３は、サーバ１０１より送信される借入申し込み画面を取得し、Ｗｅｂブラウザ上に表示し、クライアント１０３のＷｅｂブラウザに表示された借入申し込み画面にて、ユーザが借入申し込みボタン８０４又はキャンセルボタン８０５を指示するとステップＳ３１４に進む。
【０１０５】
ステップＳ３１４において、ユーザが借入申し込みをした（借入申し込みボタン８０４を指示した）か否かを判定し、ユーザが借入申し込みをしていない（キャンセルボタン８０５を指示した）と判定した場合には、そのまま処理を終了する。
【０１０６】
ステップＳ３１４において、ユーザが借入申し込みをした（借入申し込みボタン８０４を指示した）と判定した場合には、ステップＳ３１５において、借入申し込み情報がサーバ１０１に送信される。
【０１０７】
すると、ステップＳ３０４において、サーバ１０１は、クライアント１０３から送信される借入申し込み情報を取得すると、ステップＳ３０５において、借入申し込みがあった旨を図１３，図１４に示したカップリング処理に通知する（所定のレジスタに記入するようにしてもよい）。これにより、図１３，図１４に示したカップリング処理のステップＳ２１７で借入申し込みの有無を判定することができる。
【０１０８】
これにより、ユーザは外出先での駐車場の確保を予め可能にするとともに、自ら使用している駐車場が空き状態となる際の有効活用を容易に可能にすることができる。結果として、違法駐車台数の減少につながり、地域社会の交通安全等に貢献することができる。
【０１０９】
〔第２実施形態〕
上記第１実施形態では、図１３，図１４のフローチャートのステップＳ２０１〜Ｓ２１０においてユーザの借入希望に一致するＤＢ１０２内の貸出希望登録との契約を行い、ステップＳ２１１〜Ｓ２１９においてユーザの貸出希望に一致するＤＢ１０２内の借入希望登録との契約を行う（即ち、借入契約と貸出契約を独立に行う）ように構成したが、ユーザの借入希望と貸出希望の双方に一致する貸出希望及び借入希望を有するＤＢ登録者との契約を行う（即ち、駐車場を交換するように、ユーザとＤＢ登録者が貸出及び借入の双方の契約を１対１で行う）ように構成してもよい。以下、その実施形態について説明する。
【０１１０】
以下、図１６，図１７を用いて、本発明の第２実施形態を示す駐車場予約サーバおよび情報処理装置におけるカップリング処理ついて説明する。
【０１１１】
図１６，図１７は、本発明の駐車場予約サーバにおける第４の制御処理手順の一例を示すフローチャートである。なお、このフローチャートの処理は、図２に示したサーバ１０１内のカップリング検索プログラム２０９ｂに基づいてＣＰＵ２０１により実行される。また、図中、Ｓ６０１〜Ｓ６１７は各ステップを示す。
【０１１２】
まず、ステップＳ６０１において、図１２のステップＳ１０５で登録された借入希望場所と一致する駐車場がＤＢ１０２に登録されているか否かを検索し、登録されている場合には、そのままステップＳ６０４に進む。
【０１１３】
一方、ステップＳ６０１で借入希望場所と一致する駐車場がＤＢ１０２に登録されていないと判定した場合には、ステップＳ６０２において、借入希望場所の近隣駐車場（例えば、予めデータベースに格納されているエリアにおいて隣接するエリア内）を検索し、ステップＳ６０３において、近隣駐車場があるか否かを判定し、近隣駐車場がないと判定した場合には、そのまま処理を終了する。
【０１１４】
次に、ステップＳ６０４において、ステップＳ６０１〜Ｓ６０３で検索された駐車場の貸出日時が、図１２のステップＳ１０５で登録された借入希望日時と一致する（含まれる）か否かを検索し、一致すると判定した場合には、ステップＳ６０５に進み、一致結果データ（図８に示した借入申し込み画面）をユーザへ送信し、ステップＳ６０７に進む。
【０１１５】
一方、ステップＳ６０４において、ステップＳ６０１〜Ｓ６０３で検索された駐車場の貸出日時が、図１２のステップＳ１０５で登録された借入希望時間と一致しない（含まれない）と判定した場合には、ステップＳ６０６に進み、参考結果データ（図８に示した借入申し込み画面と同様の画面）をクライアント１０３へ送信し、ステップＳ６０７に進む。
【０１１６】
ここで、クライアント１０３では、クライアント１０３のＷｅｂブラウザに表示された借入申し込み画面にて、クライアント１０３において、ユーザが借入申し込みボタン８０４又はキャンセルボタン８０５を指示すると、クライアント１０３から選択情報がサーバ１０１に送信される（図１２のステップＳ１１５）。ステップＳ６０７において、サーバ１０１はクライアント１０３から送信される選択情報を取得し、ステップＳ６０８において、ユーザが借入申し込みを行ったか否かを判定し、ユーザが申し込みをしていないと判定した場合には、そのまま処理を終了する。
【０１１７】
一方、ステップＳ６０８でユーザが借入申し込みをしたと判定した場合には、図１２のステップＳ１０５で登録された貸出希望場所とステップＳ６０８でユーザが借入申し込みをした駐車場の登録者の借入希望場所が一致するか否をか判定し、一致すると判定した場合には、ステップＳ６１１に進む。
【０１１８】
一方、ステップＳ６０９で貸出希望場所と登録者の借入希望場所とが一致しないと判定した場合には、ステップＳ６１０において、貸出希望場所が登録者の借入希望場所の近隣であるか否かを判定し、近隣でないと判定した場合には、そのまま処理を終了し、近隣であると判定した場合には、ステップＳ６１１に進む。
【０１１９】
次に、ステップＳ６１１において、ステップＳ６０８でユーザが借入申し込みをした駐車場の登録者の借入希望日時が、図１２のステップＳ１０５で登録された貸出希望日時と一致する（含まれる）か否かを検索し、一致すると判定した場合には、ステップＳ６１２に進み、一致結果データを電子メール等にてＤＢ１０２内の登録者（借入を希望したもの）へ送信し、ステップＳ６１４に進む。
【０１２０】
一方、ステップＳ６１１において、ステップＳ６０８でユーザが借入申し込みをした駐車場の登録者の借入希望日時が、図１２のステップＳ１０５で登録された貸出希望時間と一致しない（含まれない）と判定した場合には、ステップＳ６１３に進み、参考結果データを電子メール等にてＤＢ内の登録者（借入を希望したもの）へ送信し、ステップＳ６１４に進む。なお、ステップＳ６１２又はＳ６１３の通知を受けた登録者は、図１５のフローチャートに示した処理により、借入申し込みを行うことができる。
【０１２１】
次に、ステップＳ６１４において、図１５に示した処理により、一致（参考）データのＤＢ登録者が所定期間（例えば、３日間（７２時間））内に借入申し込みを行ったか否かを判定し、一致（参考）データのＤＢ登録者が借入申し込みをしていないと判定した場合には、ステップＳ６１７に進み、両者に、契約不成立の通知をメール等で行う。
【０１２２】
一方、ステップＳ６１４で一致（参考）データのＤＢ登録者が借入申し込みをしたと判定した場合には、ステップＳ６１５に進み、両者に契約成立をメール等で通知する。これにより、クライアント１０３は、サーバ１０１から送信された契約成立の通知のメールを受信し、画面上に表示することができる。
【０１２３】
次に、ステップＳ６１６において、契約成立した項目をＤＢ１０２から削除するとともに、契約成立した項目から契約成立情報（双方のユーザ情報，双方の駐車場場所，各日時等）を生成しＤＢ１０２に登録し（不図示）、処理を終了する。
【０１２４】
これにより、ユーザは、ＤＢ登録者と駐車場を交換するような形態で１対１で借入及び貸出の双方の契約を行うことができ、ユーザは外出先での駐車場の確保を予め可能にするとともに、自ら使用している駐車場が空き状態となる際の有効活用を容易に可能にすることができる。
【０１２５】
〔第３実施形態〕
上記第１，２実施形態では、サーバ１０１に対して、借入希望条件，貸出希望条件等の予約申し込み情報を送信登録し、サーバのカップリング検索プログラムにて、ユーザの借入希望条件に合致する貸出希望登録，貸出希望条件に合致する借入希望登録をそれぞれＤＢ１０２内から検索して、合致した登録が見つかった場合にユーザに通知して、借入契約，貸借契約をそれぞれ行う構成について説明したが、サーバ１０１上に登録された貸借希望条件を載せた掲示板等をクライアントからアクセス可能に構築し、該掲示板から所望の貸借希望条件をユーザ自身が選択して貸借契約可能に構成してもよい。以下、その実施形態について説明する。
【０１２６】
図１８は、図１に示したクライアント１０３からサーバ１０１にアクセスした場合（クライアント１０３のＷｅｂブラウザでサーバ１０１に対応する所定のＵＲＩにアクセス等）に、サーバ１０１からクライアント１０３に送信され、クライアント１０３のＷｅｂブラウザにより表示装置３０８上に表示される初期画面の一例を示す模式図であり、図４と同一のものには同一の符号を付してある。
【０１２７】
図において、１６０１は掲示板指示エリアで、ユーザにより登録された貸借情報を掲示する掲示板を利用する場合にＰＤ３０５により指示する。なお、この掲示板に表示される情報は、図７に示した予約申し込み画面より入力され、契約が成立していない情報のみとし、契約が成立した時点で掲示板より削除されるものとする。
【０１２８】
また、図７に示した予約申し込み画面には、曜日限定欄が備えられていないが、曜日限定欄を設け、貸出曜日を月，火，水，木，金，土，日，平日，週末等から選択可能とする。
【０１２９】
さらに、図７に示した予約申し込み画面では、複数日間において、同一の時間帯に貸出，借入を希望する場合には、貸出日追加ボタン７０６，借入日追加ボタン７１１により貸出日，借入日を１日単位で追加していき、それぞれに時間帯を入力する構成であったが、貸出日，借入日を「２００２／０５／０３」〜「２００２／０５／０７」，時間帯を「９：００」〜「１５：００」のように、複数日間において同一の時間帯に貸出，借入の入力を可能とする。
【０１３０】
なお、この掲示板には、図示しない掲示板入力画面より、ユーザの貸借希望のテキスト情報を例えば、「ユーザＩＤ　０００１，駐車場所：〒○○○−○○○○　大阪府○○市△△・・・駐車Ｎｏ．２７，希望場所：兵庫県神戸市北区周辺，期間：２００２／０２／２６〜２００２／０３／２６，時間：０９：００〜１７：００」のように、入力することも可能である。
【０１３１】
図１９は、図１８に示した掲示板指示エリア１６０１が指示され、図６に示したパスワード入力画面により入力されたユーザＩＤとパスワードが正しい場合に、サーバ１０１からクライアント１０３に送信され、クライアント１０３のＷｅｂブラウザにより表示装置３０８上に表示される掲示板画面の一例を示す模式図である。
【０１３２】
図において、１８０１は掲示番号であり、掲示順に連番が付されて掲示される。１８０２は掲示情報であり、登録貸借情報が掲示され、ユーザは、クライアント１０３から所望の掲示情報１８０２の掲示番号１８０１をＰＤ３０５で指示することにより、後述する図２０に示す申し込み画面から所望の掲示情報１８０２に対する申し込みを行うことができる。
【０１３３】
図２０は、図１９に示した掲示番号１８０１が指示された場合に、サーバ１０１からクライアント１０３に送信され、クライアント１０３のＷｅｂブラウザにより表示装置３０８上に表示される契約申し込み画面の一例を示す模式図である。
【０１３４】
図において、１９０１は登録情報で、図１９に示した掲示番号１８０１によりユーザに選択された掲示情報１８０２に対応する。
【０１３５】
図において、１９０２はユーザＩＤ表示欄で、図５に示したユーザ登録欄で登録したユーザＩＤが表示される。１９０３はユーザ名表示欄で、図５に示したユーザ登録欄で登録したユーザ名が表示される。１９０４は駐車場住所表示欄で、図５に示したユーザ登録欄で登録した駐車場住所が表示される。
【０１３６】
１９０５は車両番号入力欄で、図５に示したユーザ登録欄で登録した車両番号が初期表示されるが、ユーザにより車両番号を変更入力可能である。１９０６は車種入力欄で、図５に示したユーザ登録欄で登録した車種が初期表示されるが、ユーザにより車種を変更入力可能である。
【０１３７】
１９０７は希望場所入力欄で、ユーザの希望する借入住所を入力する。１９０８は貸借期間入力欄で、ユーザの所望の貸借期間を入力する。１９０９は貸借時間入力欄で、ユーザの所望の貸借時間を入力する。１９１０は貸借曜日入力欄で、ユーザの所望の貸借曜日を入力する。
【０１３８】
１９１１は申し込みボタンで、このボタンを指示することにより、契約申し込み画面で入力された情報がサーバ１０１に送信される。１９１２はキャンセルボタンで、このボタンを指示することにより、契約申し込み画面で入力された情報を無効にして、契約申し込み画面を終了する。
【０１３９】
以下、図２１を参照して、本発明の駐車場予約サーバにおける掲示板からの申し込み処理を説明する。
【０１４０】
図２１は、本発明の駐車場予約サーバにおける第５の制御処理手順の一例を示すフローチャートであり、第２実施形態における駐車場予約処理に対応する。なお、（ａ）はサーバ１０１側の処理に対応し、（ｂ）はクライアント１０３側の処理に対応する。なお、このフローチャートの処理は、図２に示したサーバ１０１内のカップリング検索プログラム２０９ｂに基づいてＣＰＵ２０１により実行される。また、図中、Ｓ５０１〜Ｓ５０７，Ｓ５１１〜Ｓ５１６は各ステップを示す。
【０１４１】
まず、ユーザがクライアント１０３のＷｅｂブラウザ上でサーバ１０１に対応する所定のＵＲＩを入力することにより表示される初期画面（図４）で掲示板エリア１６０１を指示し、その旨がサーバ１０１に通知されると、ステップＳ５０１において、図６に示したパスワード画面をクライアント１０３に送信する。
【０１４２】
ステップＳ５１１において、クライアント１０３はパスワード画面情報をサーバ１０１から取得し、Ｗｅｂブラウザ上に表示する。次に、ステップＳ５１２において、クライアント１０３のＷｅｂブラウザに表示されたパスワード画面にて、ユーザがユーザＩＤ，パスワードを入力し、ＯＫボタン６０３を指示すると、ユーザＩＤとパスワードがサーバ１０１に送信される。
【０１４３】
ステップＳ５０２において、サーバ１０１は、クライアント１０３から送信されるユーザＩＤとパスワードを取得する。ここで、ユーザＩＤとパスワードの組が正しいと判断された場合、ステップＳ５０３において、サーバ１０１は、図２０に示した掲示板画面情報をクライアント１０３に送信する。
【０１４４】
ステップＳ５１３において、クライアント１０３は、サーバ１０１より送信される掲示板画面情報を取得し、Ｗｅｂブラウザ上に表示する。
【０１４５】
次に、ステップＳ５１４において、クライアント１０３のＷｅｂブラウザに表示された掲示板画面にて、掲示番号１８０１を選択指示すると、選択情報がサーバ１０１に送信される。
【０１４６】
次に、ステップＳ５０４において、サーバ１０１は、クライアント１０３から送信される掲示番号の選択情報を取得し、ステップＳ５０５において、選択された掲示番号に基づく契約申し込み画面情報をクライアント１０３に送信する。
【０１４７】
次に、ステップＳ５１５において、クライアント１０３は、サーバ１０１より送信される契約申し込み画面情報を取得し、Ｗｅｂブラウザ上に表示する。次に、ステップＳ５１６において、クライアント１０３のＷｅｂブラウザに表示された契約申し込み画面にて、図２０の各入力欄１９０５〜１９１０を入力した後、申し込みボタン１９１１を指示すると、サーバ１０１に申し込み情報が送信される。
【０１４８】
ステップＳ５０６において、サーバ１０１は、クライアント１０３から送信される申し込み情報を取得し、ステップＳ５０７において、この申し込み情報を登録者へ電子メールにて通知し、処理を終了する。
【０１４９】
そして、この通知を受け取ったユーザは、図８に示した借入申し込み画面と同様の画面により、図１５に示したフローチャートと同様の手順により申し込みの承諾を行って、契約を行うことができる。
【０１５０】
これにより、ユーザは外出先での駐車場の確保と自ら使用している駐車場が空き状態となる際の貸出による駐車場の有効活用とを同時に契約することができる。
【０１５１】
なお、本実施形態では、駐車場の貸出と借入の双方を同時に行う場合について説明しているが、掲示板に貸出希望条件のみが掲示される場合、この掲示板を見たユーザが掲示された貸出内容にて借入を希望する際、図２０に示した契約申し込み画面より申し込み可能とする。なお、この場合、ユーザは駐車場住所表示欄１９０４を入力可能な構成とし、借入のみを希望する場合、１９０４を空欄とするようにしてもよい。
【０１５２】
また、一方、掲示板に借入希望条件のみが掲示される場合、この掲示板を見たユーザが掲示された借入内容にて貸出を希望する際も、図２０に示した契約申し込み画面より申し込み可能とする。なお、この場合、ユーザは車両番号入力欄１９０５，希望場所１９０７を空欄としてもよい。
【０１５３】
〔第４実施形態〕
上記第３実施形態では、サーバは、クライアントからの掲示板表示要求があると、掲示板の情報を全てクライアントに送信するよう構成していたが、まず、掲示板の検索条件画面をクライアントに送信し、クライアントから返信される検索条件に合致した情報のみの掲示板をクライアントに送信するように構成してもよい。以下、その実施形態について説明する。
【０１５４】
図２２は、図１８に示した掲示板指示エリア１６０１が指示され、図６に示したパスワード入力画面により入力されたユーザＩＤとパスワードが正しい場合に、サーバ１０１からクライアント１０３に送信され、クライアント１０３のＷｅｂブラウザにより表示装置３０８上に表示される掲示板検索画面の一例を示す模式図である。
【０１５５】
図において、１７０１は地域選択欄で、ユーザが借入希望する地域を選択可能である。１７０２は期日入力欄で、ユーザが借入希望する期日を入力することが可能である。１７０３は時間入力欄で、ユーザが借入希望する時間を入力することが可能である。１７０４は曜日選択欄で、１７０５は期間選択欄で、ユーザが借入希望する期間を入力することが可能である。
【０１５６】
１７０６は車種選択欄で、ユーザが借入希望する駐車場に駐車する車種を選択することが可能である。１７０７は路面選択欄で、ユーザが借入希望する駐車場の路面を選択することが可能である。１７０８は屋根付き希望欄で、ユーザが借入希望する駐車場に屋根付き駐車場を希望する場合にチェックする。１７０９は左ハンドル可希望欄で、ユーザが借入希望する駐車場に左ハンドル車を駐車可能な駐車場を希望する場合にチェックする。１７１０は複数台可希望欄で、ユーザが借入希望する駐車場に複数台駐車可能な駐車場を希望する場合にチェックする。
【０１５７】
１７１１は検索ボタンで、このボタンを指示することにより、１７０１〜１７１０の入力条件に基づいて、検索した登録情報のみを図１９に示した掲示板に表示することができる。なお、１７０１〜１７１０が全て未入力の状態で検索ボタン１７１１が指示された場合には、登録情報全てが図１９に示した掲示板に表示される。１７１２はクリアボタンで、このボタンを指示することにより、１７０１〜１７１０に入力された条件を全てクリア（未入力状態）に戻すことができる。
【０１５８】
この掲示板検索画面を備えることにより、ユーザは掲示板から所望の情報を容易に見つけることができる。
【０１５９】
〔第５実施形態〕
上記第１〜第４実施形態に示した処理により駐車場予約を行った後、実際にユーザが駐車をしようとした場合、その駐車場に他の車両が駐車されている等の事情により駐車できないことも考え得る。そこで、このような場合のトラブルシューティングが必要となる。以下、その実施形態について、図２３のフローチャートを参照して説明する。
【０１６０】
図２３は、本発明の駐車場予約サーバにおける第６の制御処理手順の一例を示すフローチャートであり、トラブルシューティング処理に対応する。なお、このフローチャートの処理は、図２に示したサーバ１０１内のプログラムに基づいてＣＰＵ２０１により実行される。また、図中、Ｓ４００〜Ｓ４０６，４１１，４２０は各ステップを示す。
【０１６１】
まず、駐車車両のナンバプレートが撮影可能な位置にカメラが設置されている駐車場（例えば、コインパーキング等）に対するトラブルシューティングについて説明する。
【０１６２】
まず、駐車場に設置されたカメラからの駐車場撮影情報に基づいて、ステップＳ４００において、駐車場のステータス確認を行い、「空車」又は「満車」の駐車場ステータスを確認する。
【０１６３】
ステップＳ４００で、「空車」と判定した場合には、ステップＳ４０１に進み、所定間隔（Ｘ分間隔）でカメラによる撮影情報を取得し、ステップＳ４００に戻る。
【０１６４】
一方、ステップＳ４００で、「満車」と判定した場合には、ステップＳ４０２に進み、撮影情報内から車両番号（ナンバ）を取得し、駐車されている車両が正常利用者のものであるか否かを判定し、正常利用者の車両であると判定した場合には、ステップＳ４０１に進む。
【０１６５】
一方、ステップＳ４０２で、駐車されている車両が正常利用者の車両でないと判定した場合には、ステップＳ４０３に進み、駐車されている車両がＤＢ１０２に登録されている車両番号であるか否かを判定し、ＤＢ１０２に存在すると判定した場合には、ステップＳ４１０に進み、ステップＳ４１０では、駐車されている車両に対応する登録者に対して電子メール，電話等により通知し、ステップＳ４１１で、該登録者のＩＤを図示しないブラックリストに登録し、ステップＳ２０４に進む。
【０１６６】
一方、ステップＳ４０３で駐車されている車両がＤＢ１０２に登録されている車両番号でないと判定した場合には、ステップＳ４２０に進み、オペレータに通知して、該通知に応じてオペレータが警察に通報し、ステップＳ４０４に進む。
【０１６７】
次に、ステップＳ４０４において、付近の駐車場を検索し、「空あり」又は「空なし」を判定し、「空あり」と判定した場合には、ステップＳ４０５において、臨時駐車場をユーザに電子メール等により通知し、処理を終了する。
【０１６８】
一方、ステップＳ４０４において、付近の駐車場を検索し「空なし」と判定した場合には、ステップＳ４０６において、付近の駐車場に空きがない旨をユーザに電子メール等により通知し、処理を終了する。
【０１６９】
次に、駐車車両のナンバプレートが撮影可能な位置にカメラが設置されていない駐車場（通常の駐車場はこれに該当する）に対するトラブルシューティングについて説明する。
【０１７０】
まず、クライアント１０３から送信された（Ｗｅｂ上の画面で入力された）トラブル情報（「満車」を示す情報及び駐車車両の車両番号を示す情報）をサーバ１０１が受信すると、図２３のステップＳ４０２に進み、車両番号（ナンバ）から駐車されている車両が正常利用者のものであるか否かを判定する。以下の処理は、上述した駐車車両のナンバプレートが撮影可能な位置にカメラが設置されている駐車場の場合と同一であるので説明を省略する。
【０１７１】
これにより、例え、契約した駐車場が他の車両の駐車により満車となっている場合でも、その付近で空いている駐車場を検索してユーザに通知するので、ユーザに対するトラブルを解消することができる。
【０１７２】
また、トラブルを避けるために、サーバ１０１からクライアント１０３のＷｅｂブラウザ上に規約を表示し、承認を得るように構成してもよい。
【０１７３】
さらに、企業、店舗等の専用駐車場や、契約車両を駐車させるための月極め駐車場等において、解放している時間帯や曜日を登録しておくように構成してもよい。この場合、１回毎にユーザが登録する必要はなく、ユーザが登録を取り消すまではその登録は取り消されないものとする。
【０１７４】
さらに、掲示板に希望貸出料金や希望借入料金等の情報を掲示し、希望に合ったユーザが契約を申し込むように構成してもよい。この時、クライアント１０３からサーバ１０１に料金設定要求を行い、サーバ１０１から貸主，借主の双方に通知、承認を行って、予め登録したユーザのクレジットカードにより料金を徴収したり、登録された住所に送付する請求書を発行したり、予め登録されたユーザの銀行口座に料金を振り込む処理を行うように構成してもよい。
【０１７５】
以上より、企業、店舗等の専用駐車場や、個人使用の月極め駐車場等の空き状況をＷｅｂでサーバ装置が一括管理し、全国レベルでの駐車場の有効利用を図り、違法駐車を少なくして交通渋滞や、事故を防止するとともに、駐車場所有者と管理者に利益をもたらすことができるようになる。
【０１７６】
なお、上記各実施形態を合わせた構成も本発明に含まれるものである。
【０１７７】
以下、図２４，図２５に示すメモリマップを参照して本発明に係る駐車場予約サーバおよび情報処理装置で読み出し可能なデータ処理プログラムの構成について説明する。
【０１７８】
図２４は、本発明に係る駐車場予約サーバで読み出し可能な各種データ処理プログラムを格納する記録媒体のメモリマップを説明する図である。
【０１７９】
図２５は、本発明に係る情報処理装置で読み出し可能な各種データ処理プログラムを格納する記録媒体のメモリマップを説明する図である。
【０１８０】
なお、特に図示しないが、記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１８１】
さらに、各種プログラムに従属するデータも上記ディレクトリに管理されている。また、インストールするプログラムやデータが圧縮されている場合に、解凍するプログラム等も記憶される場合もある。
【０１８２】
本実施形態における図１２（ａ），図１２（ｂ），図１３，図１４，図１５（ａ），図１５（ｂ），図１６，図１７，図２１，図２３に示す機能が外部からインストールされるプログラムによって、駐車場予約サーバ，情報処理装置により遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【０１８３】
以上のように、前述した実施形態の機能を実現するソフトウエアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【０１８４】
この場合、記憶媒体から読み出されたプログラムコード自体が本発明の新規な機能を実現することになり、そのプログラムコードを記憶した記憶媒体は本発明を構成することになる。
【０１８５】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１８６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１８７】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１８８】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記録媒体を該システムあるいは装置に読み出すことによって、そのシステムあるいは装置が、本発明の効果を享受することが可能となる。
【０１８９】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０１９０】
【発明の効果】
以上説明したように、本発明によれば、情報処理装置が、ユーザより入力された駐車場の借入希望情報，貸出希望情報を前記駐車場予約サーバに送信すると、駐車場予約サーバが前記情報処理装置から送信される駐車場の借入希望情報，貸出希望情報を取得し、該取得した借入希望情報，貸出希望情報と、該借入希望情報，貸出希望情報を満たす前記データベース内の貸出希望情報，借入希望情報との貸借契約を成立させ、該貸借契約が成立した貸出希望情報，借入希望情報の送信元に貸借契約が成立した旨を通知すると、情報処理装置が、前記貸借契約が成立した旨の通知を前記駐車場予約サーバから受信し、該受信した貸借契約が成立した旨の通知を表示するので、ユーザは外出先での駐車場の確保が予め可能となり、駐車場探しの手間を省くことができるとともに、自ら使用している駐車場が空き状態となる際の駐車場の有効活用も容易に行うことができ、結果として、違法駐車台数の減少につながり、地域社会の交通安全等に貢献することができる等の効果を奏する。
【図面の簡単な説明】
【図１】本発明の第１実施形態を示す駐車場予約サーバ装置および情報処理装置を適用可能な駐車場予約システムの構成を説明する図である。
【図２】図１に示したサーバの構成の一例を説明するブロック図である。
【図３】図１に示したクライアントの構成の一例を説明するブロック図である。
【図４】クライアントのＷｅｂブラウザにより表示装置上に表示される初期画面の一例を示す模式図である。
【図５】クライアントのＷｅｂブラウザにより表示装置上に表示されるユーザ登録画面の一例を示す模式図である。
【図６】クライアントのＷｅｂブラウザにより表示装置上に表示されるパスワード入力画面の一例を示す模式図である。
【図７】クライアントのＷｅｂブラウザにより表示装置上に表示される予約申し込み画面の一例を示す模式図である。
【図８】クライアントのＷｅｂブラウザにより表示装置上に表示される借入申し込み画面の一例を示す模式図である。
【図９】図５に示したユーザ登録画面，図７に示した予約申し込み画面により入力されるユーザ情報，予約申し込み情報の一例を示す模式図である。
【図１０】図５に示したユーザ登録画面，図７に示した予約申し込み画面により入力されるユーザ情報，予約申し込み情報の一例を示す模式図である。
【図１１】図５に示したユーザ登録画面，図７に示した予約申し込み画面により入力されるユーザ情報，予約申し込み情報の一例を示す模式図である。
【図１２】本発明の駐車場予約サーバおよび情報処理装置を適用可能なシステムにおける第１の制御処理手順の一例を示すフローチャートである。
【図１３】本発明の駐車場予約サーバにおける第２の制御処理手順の一例を示すフローチャートである。
【図１４】本発明の駐車場予約サーバにおける第２の制御処理手順の一例を示すフローチャートである。
【図１５】本発明の駐車場予約サーバにおける第３の制御処理手順の一例を示すフローチャートである。
【図１６】本発明の駐車場予約サーバにおける第４の制御処理手順の一例を示すフローチャートである。
【図１７】本発明の駐車場予約サーバにおける第４の制御処理手順の一例を示すフローチャートである。
【図１８】クライアントのＷｅｂブラウザにより表示装置上に表示される初期画面の一例を示す模式図である。
【図１９】クライアントのＷｅｂブラウザにより表示装置上に表示される掲示板画面の一例を示す模式図である。
【図２０】クライアントのＷｅｂブラウザにより表示装置上に表示される契約申し込み画面の一例を示す模式図である。
【図２１】本発明の駐車場予約サーバにおける第５の制御処理手順の一例を示すフローチャートである。
【図２２】クライアントのＷｅｂブラウザにより表示装置上に表示される掲示板検索画面の一例を示す模式図である。
【図２３】本発明の駐車場予約サーバにおける第６の制御処理手順の一例を示すフローチャートである。
【図２４】本発明に係る駐車場予約サーバで読み出し可能な各種データ処理プログラムを格納する記録媒体のメモリマップを説明する図である。
【図２５】本発明に係る情報処理装置で読み出し可能な各種データ処理プログラムを格納する記録媒体のメモリマップを説明する図である。
【符号の説明】
１０１　サーバ
１０２　データベース（ＤＢ）
１０３（１０３ａ〜１０３ｇ）　クライアント
１０５　インターネット
【図１】
2004078527.tif 000003
【図２】
2004078527.tif 000004
【図３】
2004078527.tif 000005
【図４】
2004078527.tif 000006
【図５】
2004078527.tif 000007
【図６】
2004078527.tif 000008
【図７】
2004078527.tif 000009
【図８】
2004078527.tif 000010
【図９】
2004078527.tif 000011
【図１０】
2004078527.tif 000012
【図１１】
2004078527.tif 000013
【図１２】
2004078527.tif 000014
【図１３】
2004078527.tif 000015
【図１４】
2004078527.tif 000016
【図１５】
2004078527.tif 000017
【図１６】
2004078527.tif 000018
【図１７】
2004078527.tif 000019
【図１８】
2004078527.tif 000020
【図１９】
2004078527.tif 000021
【図２０】
2004078527.tif 000022
【図２１】
2004078527.tif 000023
【図２２】
2004078527.tif 000024
【図２３】
2004078527.tif 000025
【図２４】
2004078527.tif 000026
【図２５】
2004078527.tif 000027